(57)【要約】【課題】  レーザによる印字が印刷層と干渉することがなく、印刷層に良好な印刷を施すことができるディスクのレーザ印字方法を提供する。【解決手段】  本発明は、２つの透明基板を貼り合わせてなるディスク情報記録媒体にレーザで印字するディスクのレーザ印字方法であって、前記２つの透明基板の一方が記録層を含む記録側基板であり、他方が印刷層側基板であり、記録側基板の第１の透明領域における外周側に外方側印字をレーザ印字する一方で、前記印刷層側基板における第１の透明領域より径が小さい第２の透明領域に内方側印字をレーザ印字する。【選択図】  図１
2006269013.tif 000002
【特許請求の範囲】
【請求項１】
２つの透明基板を貼り合わせてなるディスク情報記録媒体にレーザで印字するディスクのレーザ印字方法であって、
前記２つの透明基板の一方が記録層を含む記録側基板であり、他方が印刷層側基板であり、記録側基板の第１の透明領域における外周側に外方側印字をレーザ印字する一方で、前記印刷層側基板における第１の透明領域より径が小さい第２の透明領域に内方側印字をレーザ印字することを特徴とするディスクのレーザ印字方法。
【請求項２】
２つの透明基板を貼り合わせてなるディスク情報記録媒体にレーザで印字するディスクのレーザ印字方法であって、
前記２つの透明基板の一方が記録層を含む記録側基板であり、他方が印刷層側基板であり、前記記録側基板を前記印刷層側基盤に貼り合わせる前に、前記記録側基板の中央から円周状に区画された第１の透明領域における外周側領域に外方側印字をレーザ印字し、その後、前記記録側基板と前記印刷層側基板とを貼り合わせ、前記印刷層側基板の中央から円周状に且つ前記第１の透明領域より径が小さい第２の透明領域に内方側印字をレーザ印字し、前記印刷層側基板の表面において、前記第２の透明領域を除く領域を印刷層が形成される印刷層領域とすることを特徴とするディスクのレーザ印字方法。
【請求項３】
上記請求項２によって前記印刷層が形成されたディスク情報記録媒体。
【発明の詳細な説明】
【技術分野】
【０００１】
本発明は、記録媒体に用いるディスク情報記録媒体に関し、特に、ディスク情報記録媒体に製造シリアル等をレーザで印字するディスクのレーザ印字方法に関する。
【背景技術】
【０００２】
現在、情報処理装置における情報の記録及び読み込みのために、ＤＶＤ−Ｒ，ＣＤ−Ｒ，ＣＤ−ＲＷなどのディスク情報記録媒体が用いられている。
これら光ディスク情報記録媒体は、記録層を有する記録側基板と印刷層側基板とを接着剤によって貼り合わせてなる構造を有している。
【０００３】
このような構造を有するディスク情報記録媒体において、下記特許文献１から３のように、記録層以外の透明な領域にレーザによって製造シリアル番号が印字されている。この製造シリアル番号は、製造された基板毎に異なる固有のものである。そして、上記光ディスク情報記録媒体のように、２つの基板を貼り合わせて構成するものにあっては、各基板に製造シリアル番号が印字されるため、貼り合わされたディスクには、異なる２つの製造シリアル番号が印字されることとなる。
【０００４】
【特許文献１】特開２００２−２６９８４２号公報
【特許文献２】特開平１１−５３７６８号公報
【特許文献３】特開２００３−５９１１４号公報
【発明の開示】
【発明が解決しようとする課題】
【０００５】
ところで、ディスク情報記録媒体は、記録側基板と印刷層側基板とを貼り合わせた後、一方の面の表面に、インクジェットプリンタなどで印刷を施すための下地となる印刷層を形成する。すると、印刷層の一部が、基板に形成された印字に被ることがある。レーザによって印字された部位は、微小ながら凹凸が生じているため、印字上に形成された印刷層の表面にも凹凸が生じ、良好な印刷を施すことができなくなる点で改善の余地があった。
【０００６】
本発明は、上記事情に鑑みてなされたもので、その目的は、レーザによる印字が印刷層と干渉することがなく、印刷層に良好な印刷を施すことができるディスクのレーザ印字方法を提供することにある。
【課題を解決するための手段】
【０００７】
本発明の上記目的は、２つの透明基板を貼り合わせてなるディスク情報記録媒体にレーザで印字するディスクのレーザ印字方法であって、前記２つの透明基板の一方が記録層を含む記録側基板であり、他方が印刷層側基板であり、記録側基板の第１の透明領域における外周側に外方側印字をレーザ印字する一方で、前記印刷層側基板における第１の透明領域より径が小さい第２の透明領域に内方側印字をレーザ印字することを特徴とするディスクのレーザ印字方法によって達成される。
【０００８】
また、本発明の上記目的は、２つの透明基板を貼り合わせてなるディスク情報記録媒体にレーザで印字するディスクのレーザ印字方法であって、前記２つの透明基板の一方が記録層を含む記録側基板であり、前記記録側基板を他方の透明基盤に貼り合わせる前に、前記記録側基板の中央から円周状に区画された第１の透明領域における外周側領域に外方側印字をレーザ印字し、その後、前記記録側基板と前記透明基板とを貼り合わせ、前記透明基板の中央から円周状に且つ前記第１の透明領域より径が小さい第２の透明領域に内方側印字をレーザ印字し、前記透明基板の表面において、前記第２の透明領域を除く領域を印刷層が形成される印刷層領域とすることを特徴とするディスクのレーザ印字方法によって達成される。
【０００９】
本発明のディスクのレーザ印字方法において、記録側基板には、第１の透明領域における外周側に外方側印字をレーザ印字する一方で、印刷層側基板には、第１の透明領域より径が小さい第２の透明領域に内方側印字をレーザ印字する。すると、記録側基板と印刷層側基板とを貼り合わせた状態において、ディスクの中央に対する外方側印字と内方側印字との径方向位置が異なり、両者が互いに重なり合うことがない。そして、印刷層側基板において、第２の透明領域を除く領域を印刷層が形成される印刷層領域とするため、透明基板に印字された内方側印字が印刷層に覆われることを回避でき、また、外方側印字は記録側基板に印字されていることから印刷層に影響を及ぼすことがない。こうすれば、記録側基板と印刷層側基板とを貼り合わせてなるディスクにおいて、外方側印字と内方側印字とが互いに重なることなくディスク製造時において作業者が容易に視認するができるとともに、後で印刷層を形成する際に、該印刷層が外方側印字及び内方側印字に被さってしまうことがないため、印刷層の表面に凹凸が生じることを回避することができる。したがって、ディスクの製造時に作業者が取り扱いやすく、また、良好な印刷層を形成することができる。
【発明の効果】
【００１０】
本発明によれば、レーザによる印字が印刷層と干渉することがなく、印刷層に良好な印刷を施すことができるディスクのレーザ印字方法を提供できる。
【発明を実施するための最良の形態】
【００１１】
以下、本発明の実施形態を図面に基づいて詳しく説明する。
図１は、本発明にかかるディスク情報記録媒体の構成を説明する図である。図２は、記録側基板を示す図である。図３は、記録側基板と印刷層側基板とを貼り合わせた状態を示す図である。図４は、貼り合わされたディスク情報記録媒体の記録側基板側から平面視した状態を示す図である。
【００１２】
ディスク情報記録媒体（以下、ディスクともいう。）Ｄは、記録側基板１１と印刷層側基板１２とを図示しない接着剤によって貼り合わせることで構成される。接着剤としては、例えば、紫外線硬化樹脂を使用することができる。
【００１３】
記録側基板１１は、光透過性を有し、平面視において正円形状の基板に、有機色素を含む記録層と、反射層とを積層した構成である。図１に示すように、記録側基板１１には、平面視において、記録層及び反射層が形成された記録領域１３と、中心開口１１ａから径方向に所定の寸法で円周状に区画された第１の透明領域１４とが形成されている。第１の透明領域１４には、記録層及び反射層が形成されていない。ここで、記録側基板１１の第１の透明領域１４の寸法は、直径２１ｍｍ〜３４ｍｍとする。
【００１４】
印刷層側基板１２は、光透過性を有する樹脂材料から構成された、記録側基板と同一の寸法を有する円形板状の部材であって、平面視における中央部分に中心開口１２ａが開口している。印刷層側基板１２の中心開口１２ａは記録側基板１１の中心開口１１ａと同一の寸法となるように形成されている。
【００１５】
印刷層側基板１２を平面視した状態で、その中心から径方向に所定の寸法に第２の透明領域１６が想定され、この第２の透明領域１６以外の領域が後で印刷層が形成される印刷層領域１７となる。なお、第２の透明領域１６と印刷層領域１７との境界には、特に、境界線や段差部が形成されている必要はない。ここで、印刷層側基板１２の第２の透明領域１６の寸法は、直径１５ｍｍ〜２１ｍｍとする。
【００１６】
次に、本発明にかかるディスクのレーザ印字方法の手順について、図面を適宜参照しつつ説明する。図５は、本発明にかかるディスクのレーザ印字方法の手順を示すフローチャートである。
【００１７】
最初に、記録層が形成された記録側基板にレーザを使用してレーザ印字を行う。レーザ印字されるものとしては、数字，文字，アルファベット，記号，符号，特定のロゴや、また、これらを組み合わせたものである。
【００１８】
ここで、本発明で使用するレーザとしては、例えば、ＹＡＧレーザ、ＣＯ2レーザ、ＹＶＯ4レーザ、半導体レーザ等を使用することができる。レーザ印字は、レーザマーカなどの装置を用いて行う。
【００１９】
記録側基板１１の第１の透明領域１４において、外周側（記録領域側）の部位にレーザマーカによってレーザ印字を行う。このとき外周側の部位１４ａに印字された印字を外方側印字Ｍ１とする。図１及び図２に示すように、第１の透明領域１４において破線で示す領域は、印刷層側基板１２の第２の透明領域１６を示している。記録側基板１１の第１の透明領域１４にレーザ印字された外方側印字Ｍ１は、この破線より径方向外側に、つまり、貼り合わされる印刷層側基板１２の第２の透明領域１６より径方向外側に印字される（ステップＳ１１）。言い換えると、外方側印字Ｍ１が破線より径方向内側に位置する内周側の部位１４ｂに印字されないようにする。なお、外方側印字Ｍ１で示されるものとしては、例えば、記録側基板１１を他の記録側基板と区別できるように製造工程や製造条件を特定する製造シリアル番号である。
【００２０】
次に、図１に示すように、記録側基板１１と印刷層側基板１２とを接着剤によって貼り合わせる（ステップＳ１２）。接着剤として紫外線硬化樹脂を使用する場合には、ＵＶランプなどの紫外線光源から紫外線をディスク１０における接着剤に照射して、ラジカル重合によって硬化させることで、記録側基板１１と透明基板１２とを互いに固着させる。
【００２１】
記録側基板１１と印刷層側基板１２とを貼り合わせた後、図３に示すように、印刷層側基板１２の第２の透明領域１６に、内方側印字Ｍ２をレーザ印字する（ステップＳ３）。このとき、記録側基板１１の第１の透明領域１４のＭ１が、印刷層側基板１２の平面視において、第２の透明領域１６より外側に位置している。こうすることで、内方側印字Ｍ２を第２の透明領域１６の内部であれば任意の部位に印字しても、該内方側印字Ｍ２と外方側印字Ｍ１とが重なりあって識別できなくなることを回避することができる。内方側印字Ｍ２で示されるものとしては、例えば、記録側基板１１と印刷層側基板１２とを貼り合わせてなるディスク１０を他のディスクと区別できるように、製造工程や製造条件を特定する製造シリアル番号である。
【００２２】
内方側印字Ｍ２をレーザ印字した後、印刷層側基板１２の印刷層領域１７に図示しない印刷層を形成する。こうして、印刷層が形成されたディスクが完成する。
【００２３】
図４に示すように、貼り合わされたディスク１０を、記録側基板１１から平面視すると、第１の透明領域１４の外周側の部位１４ａに外方側印字Ｍ１が視認でき、また、内周側の部位１４ｂに該記録側基板１１を透視して印刷層側基板１２側の内方側印字Ｍ２が視認できるようになる。
【００２４】
外方側印字Ｍ１と内周側印字Ｍ２のそれぞれ第１の透明領域１４，１６における周方向位置は特に限定されず、両者を区別して識別可能である範囲で、変更可能である。また、外方側印字Ｍ１と内周側印字Ｍ２を、印字同士が重ならようにして両者をそれぞれ識別可能であれば、周方向において異なる複数の位置にそれぞれ形成してもよい。
【００２５】
上記ディスクのレーザ印字方法において、記録側基板１１には、第１の透明領域における外周側の部位１４ａに外方側印字Ｍ１をレーザ印字する一方で、印刷層側基板１２には、第１の透明領域１４より径が小さい第２の透明領域１６に内方側印字Ｍ２をレーザ印字する。すると、記録側基板１１と印刷層側基板１２とを貼り合わせた状態において、ディスク１０の中央に対する外方側印字Ｍ１と内方側印字Ｍ２との径方向位置が異なり、両者が互いに重なり合うことがない。そして、印刷層側基板１２において、第２の透明領域１６を除く領域を、印刷層が形成される印刷層領域１７とするため、印刷層側基板１２に印字された内方側印字Ｍ２が印刷層に覆われることを回避でき、また、外方側印字Ｍ１は記録側基板１１に印字されていることから印刷層に影響を及ぼすことがない。こうすれば、記録側基板１１と印刷層側基板１２とを貼り合わせてなるディスク１０において、外方側印字Ｍ１と内方側印字Ｍ２とが互いに重なることなくディスク製造時において作業者が容易に視認するができるとともに、後で印刷層を形成する際に、該印刷層が外方側印字Ｍ１及び内方側印字Ｍ２に被さってしまうことがないため、印刷層の表面に凹凸が生じることを回避することができる。したがって、ディスク１０の製造時に作業者が取り扱いやすく、また、良好な印刷層を形成することができる。
【００２６】
また、上記ディスクのレーザ印字方法によって印字を行った後で印刷層を形成してなるディスク情報記録媒体は、印刷層にレーザ印字に起因した凹凸が生じることを防止できるため、印刷層にインクジェットプリンタなどによって良好に印刷を行うことができる。
【図面の簡単な説明】
【００２７】
【図１】本発明にかかるディスクの構成を説明する図である。
【図２】記録側基板を示す図である。
【図３】記録側基板と印刷層側基板とを貼り合わせた状態を示す図である。
【図４】貼り合わされたディスクの記録側基板側から平面視した状態を示す図である。
【図５】本発明にかかるディスクのレーザ印字方法の手順を示すフローチャートである。
【符号の説明】
【００２８】
１０    ディスク（ディスク情報記録媒体）
１１    記録側基板
１２    印刷層側基板
１４    第１の透明領域
１６    第２の透明領域
１７    印刷層領域
Ｍ１    外方側印字
Ｍ２    内方側印字
【図１】
2006269013.tif 000003
【図２】
2006269013.tif 000004
【図３】
2006269013.tif 000005
【図４】
2006269013.tif 000006
【図５】
2006269013.tif 000007